(57)【要約】【課題】記録方式に応じて適切な記録が行えるような光情報記録媒体及び光情報記録装置の提供。【解決手段】（１）複数の記録線速における記録条件がプリフォーマットされており、低速での記録条件と高速での記録条件について、少なくとも１種類の共通の形式の記録ストラテジに関する情報がプリフォーマットされている光情報記録媒体。（２）パルス状の光を照射することにより記録マークの時間的長さがｎＴで表される情報を記録するためのレーザー光源と、該レーザー光源を発光させる光駆動手段と、該レーザー光源が発する光ビームの発光波形に関する記録ストラテジが設定されて光源駆動手段を制御する発光波形制御手段を備え、複数の記録線速における記録条件がプリフォーマットされている光情報記録媒体へＣＡＶ記録を行う場合には、低速での記録条件と高速での記録条件で共通する記録ストラテジを用いるように設定されている光情報記録装置。【選択図】図１
2008146759.tif 000002
【特許請求の範囲】
【請求項１】
複数の記録線速における記録条件がプリフォーマットされている光情報記録媒体において、低速での記録条件と高速での記録条件について、少なくとも１種類の共通の形式の記録ストラテジに関する情報がプリフォーマットされていることを特徴とする光情報記録媒体。
【請求項２】
ＣＡＶ記録を行う場合には、低速での記録条件と高速での記録条件について共通する記録ストラテジを用いるような情報がプリフォーマットされていることを特徴とする請求項１記載の光情報記録媒体。
【請求項３】
所定の記録線速における記録条件として、複数の記録ストラテジに関する情報がプリフォーマットされ、記録方式により最適な記録ストラテジが選択できるような情報がプリフォーマットされていることを特徴とする請求項１又は２記載の光情報記録媒体。
【請求項４】
パルス状の光を情報記録媒体に照射することにより、記録マークの時間的長さがｎＴ（Ｔ：基本クロック周期、ｎ：２以上の自然数）で表される情報を記録するためのレーザー光源と、該レーザー光源を発光させる光駆動手段と、該レーザー光源が発する光ビームの発光波形に関する記録ストラテジが設定されて前記光源駆動手段を制御する発光波形制御手段を備え、複数の記録線速における記録条件がプリフォーマットされている光情報記録媒体へＣＡＶ記録を行う場合には、低速での記録条件と高速での記録条件で共通する記録ストラテジを用いるように設定されていることを特徴とする光情報記録装置。
【請求項５】
プリフォーマットされていない記録線速における記録条件は、プリフォーマットされている記録線速の記録条件から導き出すように設定されていることを特徴とする請求項４記載の光情報記録装置。
【発明の詳細な説明】
【技術分野】
【０００１】
本発明は記録可能なディスク上の情報記録媒体、特にＣＤ−Ｒ、ＣＤ−ＲＷ、ＤＶＤ−Ｒ、ＤＶＤ＋Ｒ、ＤＶＤ−ＲＷ、ＤＶＤ＋ＲＷ、ＤＶＤ＋ＲＡＭ、ＢＤ−Ｒ、ＢＤ−ＲＥ、ＨＤ  ＤＶＤ−Ｒ、ＨＤ  ＤＶＤ−ＲＷ、ＨＤ  ＤＶＤ−ＲＡＭ等の光情報記録媒体及び光情報記録装置に関する。
【背景技術】
【０００２】
情報のデジタル化・マルチメディア化が急速に進んでいるため、より大容量の情報を高速に記録・再生可能な記録媒体の需要が高まっている。特に再生専用メモリであるＤＶＤ−ＲＯＭ、ＣＤ−ＲＯＭとの再生互換を確保しつつ、記録が可能であるＤＶＤ−Ｒ、ＤＶＤ−ＲＷ、ＤＶＤ＋Ｒ、ＤＶＤ＋ＲＷ、ＣＤ−Ｒ、ＣＤ−ＲＷに代表される記録型光ディスクは汎用性が高く、利便性に優れているため需要が拡大している。最近では、更に大容量の記録を達成するために、波長４０５ｎｍの青色ＬＤを用いたシステムであるブルーレイディスク（ＢＤ）やＨＤ  ＤＶＤも其々、ＲＯＭ、追記型、書き換え型の媒体に関して実用化されている。
上記は何れもディスク状の媒体であり、線速度一定（ＣＬＶ：Ｃｏｎｓｔａｎｔ  Ｌｉｎｅａｒ  Ｖｅｌｏｃｉｔｙ）で回転させながら記録する場合と角速度一定（ＣＡＶ：Ｃｏｎｓｔａｎｔ  Ａｎｇｕｌａｒ  Ｖｅｌｏｃｉｔｙ）で記録する場合があり、何れの場合も記録密度は一定になるように記録される。また、記録面を幾つかの領域に分けその領域内ではＣＬＶとするゾーンＣＬＶ、記録速度が（そのドライブの）最大に達する点までは一定の速度で回転させるが、それ以降は記録速度はそのままで回転速度が徐々に遅くなるパーシャルＣＡＶ方式で記録する場合もある。
【０００３】
ＣＬＶの場合、記録媒体とレーザービームとの相対速度が常に一定であるため、記録パワーや記録パルス幅などの記録条件を一度最適に決めてしまえば全面に渡り変える必要がない。しかしながら、ＣＬＶではディスク内周部ほど回転数を高くする必要があるので、高速になってくると回転させるのが困難になる。従って、モータコストが高くなり、また、騒音、振動が増え、サーボシステムの設計も困難になってくる。
その点、ＣＡＶでは回転数が一定なのでモータ等の問題はなく、不連続に色々な場所にデータを記録するパケットライト等に適している。しかし、ＣＡＶでは当然ながら外周へ行くほど線速度は速くなり、半径位置により線速度は異なるため、一般的に記録線速によって条件が大きく異なる記録パワーや記録パルス幅などの記録条件の設定をどうするかが問題となってくる。
このような問題を解決するために、特許文献１では、ＣＡＶやゾーンＣＬＶのようにディスク半径によって記録線速が違う場合にも、最適な記録パワー初期値を与える方法について記載されている。また、特許文献２では、２Ｔ周期ストラテジで記録する際に、任意の記録線速で最適な記録を行うためのプリフォーマット情報について記載されている。
【０００４】
【特許文献１】特開２００３−８５７５９号公報
【特許文献２】特許第３８２０１８１号公報
【発明の開示】
【発明が解決しようとする課題】
【０００５】
１種類の記録ストラテジが想定されている媒体に対しては、上記の従来例等を使用することにより良好な記録が達成できると考えられる。しかし、例えば、１倍速から４倍速までの記録が可能な媒体で、１倍速、２倍速、４倍速の記録条件が其々プリフォーマットされている場合には、以下に説明するように、記録線速毎に記録ストラテジが異なる場合がある。
通常、記録層として色素材料や無機材料を使用した追記型の情報記録媒体でも、相変化材料を用いた書き換え型の情報記録媒体でも、加熱パルスを照射することにより、長さがｎＴ（ｎ：自然数、Ｔ：基本クロック周期）で表されるマークを記録する。
１倍速、２倍速といった比較的低速で記録する場合には、各マークを連続した加熱パルスで形成しようとすると、特に長いマークの場合、マークの前端から終端に向かって次第に温度が高くなり、結果として涙滴状のマークが形成されてしまう。そこで通常は、間に冷却パルスを入れた短い複数の加熱パルスで記録を行う。加熱パルスの周期により、１Ｔ周期ストラテジ、２Ｔ周期ストラテジ等が使用される。これに対し、４倍速といった高速になると、基本クロックが短くなるため、１Ｔ周期、２Ｔ周期といった短パルスの形成が困難になることと、高速であるために熱の蓄積が軽減され、連続した加熱パルスで長いマークを形成しても涙滴状にはなりにくくなるため、連続パルスを使用する場合もある。マークエッジを明瞭にするために、連続パルスの両端のパワーを高くした、いわゆるキャッスルストラテジと称される形状が用いられることもある。
【０００６】
このように、例えば、１倍速では１Ｔ周期ストラテジ、２倍速では２Ｔ周期ストラテジ、４倍速ではキャッスルストラテジを用いると、各々の線速でマージンの広い良好な記録ができる媒体がある場合、ＣＬＶ記録のときは各々の線速で最適なストラテジで記録して特に問題はないが、ＣＡＶ記録を行おうとすると、２倍速から４倍速まで半径位置に応じて連続的に記録線速を上げていく場合、２Ｔストラテジからキャッスルストラテジへの移行をどうするかといった問題が生じてしまう。
本発明は、このような不具合を解消し、記録方式に応じて適切な記録が行えるような光情報記録媒体、及び、光情報記録装置の提供を目的とする。
【課題を解決するための手段】
【０００７】
上記課題は、次の１）〜５）の発明によって解決される。
１）  複数の記録線速における記録条件がプリフォーマットされている光情報記録媒体において、低速での記録条件と高速での記録条件について、少なくとも１種類の共通の形式の記録ストラテジに関する情報がプリフォーマットされていることを特徴とする光情報記録媒体。
２）  ＣＡＶ記録を行う場合には、低速での記録条件と高速での記録条件について共通する記録ストラテジを用いるような情報がプリフォーマットされていることを特徴とする１）記載の光情報記録媒体。
３）  所定の記録線速における記録条件として、複数の記録ストラテジに関する情報がプリフォーマットされ、記録方式により最適な記録ストラテジが選択できるような情報がプリフォーマットされていることを特徴とする１）又は２）記載の光情報記録媒体。
４）  パルス状の光を情報記録媒体に照射することにより、記録マークの時間的長さがｎＴ（Ｔ：基本クロック周期、ｎ：２以上の自然数）で表される情報を記録するためのレーザー光源と、該レーザー光源を発光させる光駆動手段と、該レーザー光源が発する光ビームの発光波形に関する記録ストラテジが設定されて前記光源駆動手段を制御する発光波形制御手段を備え、複数の記録線速における記録条件がプリフォーマットされている光情報記録媒体へＣＡＶ記録を行う場合には、低速での記録条件と高速での記録条件で共通する記録ストラテジを用いるように設定されていることを特徴とする光情報記録装置。
５）  プリフォーマットされていない記録線速における記録条件は、プリフォーマットされている記録線速の記録条件から導き出すように設定されていることを特徴とする４）記載の光情報記録装置。
【０００８】
以下、上記本発明について詳しく説明する。
本発明では、光情報記録媒体に同一の記録線速の記録条件として複数の記録条件をプリフォーマットしておき、記録方式に応じて記録条件を選べるようにする。ＣＡＶ記録を行う場合には、低速側の記録条件と高速側の記録条件が同じ形式の記録ストラテジとなるように選択する。プリフォーマットされている記録線速の中間の記録線速の記録条件は、光情報記録媒体により、低速側の記録条件と高速側の記録条件から導き出して決める。
本発明における「低速」「高速」とは相対的なものであり、当該技術分野で慣用されている１倍速、２倍速、４倍速、８倍速などが混在する場合には、相対的により低速の場合が「低速」、より高速の場合が「高速」ということになる。例えば、後述する表１において、１Ｔ周期ストラテジ及び２Ｔ周期ストラテジでは、１ｘ記録が低速、２ｘ記録が高速であり、キャッスルストラテジでは、２ｘ記録が低速、４ｘ記録が高速ということになる。
【０００９】
光情報記録媒体への記録条件のプリフォーマットには任意の手法を用いることができるが、ＣＤ−Ｒ／ＲＷ、ＤＶＤ＋Ｒ／ＲＷ、ＢＤ−Ｒ／ＲＥではウォブルエンコード法が用いられている。この手法は光情報記録媒体のアドレス情報をグルーブ（媒体上の案内溝）のウォブリングにエンコードする技術を利用している。エンコードの方法としては、ＣＤ−Ｒ／ＲＷのＡＴＩＰ（Ａｂｓｏｌｕｔｅ  Ｔｉｍｅ  Ｉｎ  Ｐｒｅｇｒｏｏｖｅ）のように周波数変調を用いても、ＤＶＤ＋Ｒ／ＲＷのＡＤＩＰ（Ａｄｄｒｅｓｓ  Ｉｎ  Ｐｒｅｇｒｏｏｖｅ）のように位相変調を用いてもよい。ＢＤ−Ｒ／ＲＥでは、ＨＦＭ（Ｈｉｇｈ  Ｆｒｅｑｕｅｎｃｙ  Ｍｏｄｕｌａｔｅｄ）と呼ばれる矩形波状のウォブリングに２値化してエンコードされている。ウォブルエンコード法は、光情報記録媒体の基板成形時にアドレス情報と一緒に基板に形成できるので、生産性に優れると同時に、プリピット法のような特殊なＲＯＭピットを形成する必要がないため、基板成形も容易に行えるという利点がある。
【００１０】
次に、プリフォーマットされる記録ストラテジの例を幾つか示す。
図１は、マーク長が１Ｔ長くなる毎に加熱パルスが一つ増える１Ｔ周期ストラテジの例である。パワーは通常、３値に制御され、プリフォーマットされる内容は、記録パワー、或いはパワー比のほか、先頭パルスの開始時間やパルス幅、マルチパルスのパルス幅、最終冷却パルスの開始時間やパルス幅、最終冷却パルスのパルス幅などである。
マーク長の長さがｎＴ（ｎ：２以上の自然数）で表されるとき、図１の例は加熱パルスの数がｎより１少ないｎ−１記録ストラテジと称されるタイプであるが、この他、ｎより２少ないｎ−２記録ストラテジと称されるタイプが使用されることもある。通常、２Ｔ、３Ｔマークのパルスの開始時間や幅は個別に設定され、４Ｔ以上は共通の設定値を使用する場合が多い。マーク長だけでなく、前後のスペース長別にパルスの開始時間や幅が設定されることもある。
【００１１】
図２は、マーク長が２Ｔ長くなる毎に加熱パルスが一つ増える２Ｔ周期ストラテジの例である。マーク長がｎＴ（ｎ：２以上の自然数）で表されるとき、加熱パルスの数はｎ／２で表すことができるので、ｎ／２ストラテジと称されることもある。パワーは１Ｔ周期ストラテジと同様、３値に制御され、プリフォーマットされる内容は、記録パワー、或いはパワー比のほか、先頭パルスの開始時間やパルス幅、マルチパルスのパルス幅、最終冷却パルスの開始時間やパルス幅、最終冷却パルスのパルス幅などである。また、通常、加熱パルスが一つである２Ｔや３Ｔマークのパルス開始時間やパルス幅等は個別に設定され、４Ｔ以上のマークは、ｎが奇数の場合と偶数の場合とで場合分けされてパルスの開始時間や幅が設定される場合が多い。
【００１２】
図３は、キャッスルストラテジと称される、途中に冷却パルスが入らない連続したパルスの例である。連続パルスの両端のみパワーを高くして用いられることが多い。プリフォーマットされる内容は、記録パワー、或いはパワー比のほか、パルスの開始時間や幅、両端のパワーが高くなっている部分の幅、冷却パルスの幅等である。２Ｔや３Ｔマークの場合には、全て、パワーがＰ４の連続パルスで記録し、４Ｔ以上から図３のような所謂キャッスルの形状にする場合が多い。マーク長だけではなく、前後のスペース長別にパルスの開始時間や幅が設定されることもある。
【００１３】
前述したような記録ストラテジによる光情報記録方法を実施するための光情報記録装置の構成例について、図４を参照して説明する。
光情報記録媒体１に対して、この光情報記録媒体１を回転駆動させるスピンドルモータ２１を含む回転制御機構２２が設けられていると共に、光情報記録媒体１に対してレーザ光を集光照射させる対物レンズや半導体レーザＬＤ２３等のレーザ光源を備えた光ヘッド２４がディスク半径方向にシーク移動自在に設けられている。光ヘッド２４の対物レンズ駆動装置や出力系に対してはアクチュエータ制御機構２５が接続されている。アクチュエータ制御機構２５にはプログラマブルＢＰＦ２６を含むウォブル検出部２７が接続されている。ウォブル検出部２７には検出されたウォブル信号からアドレスを復調するアドレス復調回路２８が接続されている。アドレス復調回路２８にはＰＬＬシンセサイザ回路２９を含む記録クロック生成部３０が接続されている。ＰＬＬシンセサイザ回路２９にはドライブコントローラ３１が接続されている。ドライブコントローラ３１には、システムコントローラ３２が接続されるとともに、回転制御機構２２、アクチュエータ制御機構２５、ウォブル検出部２７及びアドレス復調回路２８も接続されている。
【００１４】
システムコントローラ３２はＣＰＵ等を備えた、いわゆるマイコン構成のものである。また、システムコントローラ３２には、エンコーダ３４、マーク長カウンタ３５、パルス数制御部３６が接続されている。これらのエンコーダ３４、マーク長カウンタ３５、パルス数制御部３６、及び、発光波形制御手段となる記録パルス列制御部３７が接続されている。記録パルス列制御部３７は、記録ストラテジにより規定される加熱パルスと冷却パルスのパルス列であるマルチパルスを生成するマルチパルス生成部３８と、エッジセレクタ３９と、パルスエッジ生成部４０とが含まれている。
記録パルス列制御部３７の出力側には、パワーがＰ１、Ｐ２、Ｐ３（図３のようにＰ４が必要な場合にはＰ４も加える）の各々の駆動電流源４１をスイッチングすることにより光ヘッド２４中の半導体レーザＬＤ２３を駆動させる光源駆動手段としてのＬＤドライバ部４２が接続されている。
【００１５】
このような構成において、光情報記録媒体１に記録するためには、目的の記録速度に対応する記録線速度となるように、スピンドルモータ２１の回転数をドライブコントローラ３１による制御の下、回転制御機構２２により制御した後に、光ヘッド２４から得られるプッシュプル信号からプログラマブルＢＰＦ２６によって分離検出されたウォブル信号からアドレス復調するとともに、ＰＬＬシンセサイザ回路２９によって記録チャネルクロックを生成する。次に、半導体レーザＬＤ２３による記録パルス列を発生させるため、記録パルス列制御部３７には記録チャネルクロックと記録情報であるＥＦＭや１７ＰＰ等のデータが入力され、記録パルス列制御部３７中のマルチパルス生成部３８により、図１、２に示したような記録ストラテジに従うマルチパルスを生成し、ＬＤドライバ部４２において、前述したＰ１、Ｐ２、Ｐ３の各照射パワーとなるように設定された駆動電流源４１をスイッチングすることにより、記録パルス列に従うＬＤ発光波形を得ることができる。
【００１６】
光情報記録媒体にプリフォーマットされる記録ストラテジの例を表１に示す。○で示された記録ストラテジに関して、最適なパルス幅やパワーに関する条件がプリフォーマットされる。１〜４倍速（ｘ）記録に対応した光情報記録媒体を想定しており、１倍速、２倍速、４倍速の記録条件が記載されているものとする。
何れかの線速でＣＬＶ記録を行う場合は、プリフォーマットされている記録ストラテジの何れを選んでもよい。また、直径１２ｃｍの媒体で、記録領域の半径位置が２４〜５８ｍｍである場合、１〜２倍速、あるいは、２〜４倍速のパーシャルＣＡＶ、１〜２．４倍速、あるいは、１．６〜４倍速のフルＣＡＶを行うことができる。
１〜２倍速、あるいは、１〜２．４倍速記録を行う場合、記録ストラテジは１Ｔ周期ストラテジ又は２Ｔ周期ストラテジを選択できる。１倍速と２倍速の中間線速では、パルス幅やパワーは線形補完等により算出し、２〜２．４倍速記録に関しては、外挿により条件を算出する。
２〜４倍速、あるいは、１．６〜４倍速記録を行う場合、キャッスルストラテジが選択できる。２倍速と４倍速の中間線速では、パルス幅やパワーは線形補完等により算出し、１．６〜２倍速記録に関しては、外挿により条件を算出する。
このように、低速の記録条件と高速の記録条件で共通のストラテジがプリフォーマットされていれば、ＣＡＶ記録をする際に、途中でストラテジの形式を変更するなどのため、連続性が損なわれることなく、中間線速の記録条件の設定も容易であるため光情報記録装置の負荷も少なく、何れの線速でも良好な記録が可能となる。
【表１】
2008146759.tif 000003
【００１７】
光情報記録媒体にプリフォーマットされる記録ストラテジの別の例を表２に示す。
表１示す例と同様に、１〜４倍速（ｘ）記録に対応した光情報記録媒体を想定しており、１倍速、２倍速、４倍速の記録条件が記載されているものとする。
表１示す例と同様のパーシャルＣＡＶ、又はフルＣＡＶを想定した場合、何れの線速範囲でも２Ｔ周期ストラテジを選択する。中間線速では、パルス幅やパワーは１〜２倍速、あるいは、２〜４倍速の記録条件の線形補完、又は、１倍速、２倍速、４倍速の３種類の記録条件を用いて近似曲線を求めて内挿する。
このように、低速の記録条件と高速の記録条件で共通のストラテジがプリフォーマットされていれば、ＣＡＶ記録をする際に、途中でストラテジの形式を変更するなどのため連続性が損なわれることなく、プリフォーマットされていない中間線速の記録条件の設定も容易であるから光情報記録装置の負荷も少なく、何れの線速でも良好な記録が可能となる。
また、１倍速記録では１Ｔ周期と２Ｔ周期の記録ストラテジというように、複数の記録ストラテジが設定されることによって、例えば、２Ｔ周期のパルスを生成する回路を持たない光情報記録装置で記録する場合には１Ｔ周期ストラテジを用いて記録し、２Ｔ周期ストラテジのパルスを生成する回路を持ち、１倍速からのＣＡＶ記録を行いたいというときには、２Ｔ周期ストラテジを用いて記録するというように、光情報記録装置の種類や要望に応じて記録ストラテジを選択することができる。
【表２】
2008146759.tif 000004
【００１８】
光情報記録媒体にプリフォーマットされる記録ストラテジの更に別の例を表３に示す。１〜８倍速（ｘ）記録に対応した光情報記録媒体を想定しており、１倍速、２倍速、４倍速、８倍速の記録条件が記載されているものとする。
表１、表２に示す例と同様に、４倍速以下でＣＡＶ記録を行う場合は２Ｔ周期ストラテジを用いることができる。また、２〜４．８倍速記録を行う時にも２Ｔ周期ストラテジを用いても良い。中間線速のパルス幅やパワーは１〜２倍速、２〜４倍速の記録条件の線形補完、又は１倍速、２倍速、４倍速の３種類の記録条件から求めた近似曲線により内挿する。４〜４．８倍速の記録条件は、線形補完又は近似曲線の外挿により求めることができる。
２〜４．８倍速、３．３〜８倍速でＣＡＶ記録を行う場合には、キャッスルストラテジを使用することができる。中間線速のパルス幅やパワーは、２〜４倍速、４〜８倍速の記録条件の線形補完、又は、２倍速、４倍速、８倍速の３種類の記録条件を用いて近似曲線を求めて内挿する。
【表３】
2008146759.tif 000005
【００１９】
光情報記録媒体にプリフォーマットされる記録ストラテジの更に別の例を表４に示す。１〜８倍速記録に対応した光情報記録媒体を想定しており、１倍速、２倍速、４倍速、８倍速の記録条件が記載されているものとする。
ＣＡＶ記録を行うときは、１〜２倍速のパーシャルＣＡＶ、又は、１〜２．４倍速のフルＣＡＶのときのみ、２Ｔ周期ストラテジを用いる。
２〜４．８倍速、３．３〜８倍速のＣＡＶ記録を行う場合には、キャッスルストラテジを使用することができる。中間線速では、パルス幅やパワーは１〜２倍速、２〜４倍速、４〜８倍速の記録条件の線形補完、又は、２Ｔ周期ストラテジの場合、１倍速、２倍速、４倍速の３種類の記録条件、キャッスルストラテジの場合、２倍速、４倍速、８倍速の３種類の記録条件を用いて近似曲線を求めて内挿する。
【表４】
2008146759.tif 000006
【発明の効果】
【００２０】
本発明の光情報記録媒体のように、低速の記録条件と高速の記録条件で共通のストラテジがプリフォーマットされていれば、ＣＡＶ記録をする際に、途中でストラテジの形式を変更するなどのため連続性が損なわれることがなく、中間線速の記録条件の設定も容易であるから光情報記録装置の負荷も少なく、何れの線速でも良好な記録が可能となる。
また、所定の線速で複数の記録ストラテジが設定されることによって、光情報記録装置の種類や要望に応じて記録ストラテジを選択することができ、汎用性が増大する。
【実施例】
【００２１】
以下、実施例により、プリフォーマットされる情報と、その情報に基づいてドライブでどのように記録すれば良好なＣＡＶ記録が行えるかについて具体的に説明するが、本発明はこれらの実施例により限定されるものではない。
【００２２】
実施例１
ブルーレイディスク相当の記録密度を有する１〜４倍速記録に対応した書き換え型光情報記録媒体の例を示す。
記録媒体はトラックピッチ０．３２μｍの案内溝を有する厚さ１．１ｍｍのポリカーボネート製基板上に、反射層として膜厚１４０ｎｍのＡｇ−０．５重量％Ｂｉ、保護層として膜厚１２ｎｍのＺｎＯ−２．０重量％Ａｌ２Ｏ３、記録層として膜厚１１ｎｍのＩｎ１６．４Ｓｂ７４．６Ｇｅ７．０Ｚｎ２．０、保護層として膜厚３３ｎｍのＺｎＳ−２０モル％ＳｉＯ２を順次スパッタにより積層し、ＵＶ硬化樹脂を厚さ１００μｍスピンコートして作成した後、大口径ＬＤにより記録層を初期結晶化したものを用いた。
この記録媒体にプリフォーマットする情報は、表５に示した１倍速、２倍速、４倍速の各記録に使用する記録ストラテジの形式と、表６、表７に示した記録パルスの幅等のパルス波形の情報、及び、表には挙げていないが、記録パワーに関する情報である。
上記記録媒体は、１倍速は１Ｔ周期ストラテジ、２倍速は１Ｔ周期ストラテジと２Ｔ周期ストラテジ、４倍速は２Ｔ周期ストラテジを使用して記録することができる。
【００２３】
表６に示したのは、１倍速と２倍速で使用する１Ｔ周期ストラテジ（ｎ−１）のパルス波形に関する情報である。各パラメータに係るパルス波形は図５に示すとおりであり、ｄＴｅは、負の値で示しているが、これは、クロック周期に同期する基準線より右側であることを示す。
１Ｔ周期ストラテジを用いて、１〜２．４倍速のＣＡＶ記録を行う場合、記載されていない線速Ｖｘで使用するパラメータＡｘは、１倍速Ｖ１のパラメータをＡ１、２倍速Ｖ２のパラメータをＡ２としたとき、Ａ１とＡ２の線形補完により、
Ａｘ＝Ａ１＋（Ａ２−Ａ１）／（Ｖ２−Ｖ１）×（Ｖｘ−Ｖ１）
として決めることができる。
パワーに関する情報は、規格によって、推奨するパワーの値を記載する場合と、最適なパワーを算出するためのパラメータを記載する場合があり、ブルーレイディスクの場合は後者である。ここで、算出された最適記録パワーＰｗについて、１ｘの場合をＰｗ１、２ｘの場合をＰｗ２としたとき、記載されていない線速Ｖｘで使用するパワーＰｗｘは、上述のパルス波形を決めるパラメータと同様に、Ｐｗ１とＰｗ２の線形補完により、
Ｐｗｘ＝Ｐｗ１＋（Ｐｗ２−Ｐｗ１）／（Ｖ２−Ｖ１）×（Ｖｘ−Ｖ１）
として決めることができる。
消去パワーＰｅ及びバイアスパワーＰｂについても、上記式におけるＰｗｘをＰｅｘ、Ｐｂｘに置き換えて、最適記録パワーの場合と同様にして最適なパワーを決めることができる。
上記記録媒体における最適パワーは、１倍速の場合、Ｐｗ＝５．４ｍＷ、Ｐｅ＝３．７ｍＷ、Ｐｂ＝０．１ｍＷ、２倍速の場合、Ｐｗ＝６．２ｍＷ、Ｐｅ＝３．７ｍＷ、Ｐｂ＝０．１ｍＷであった。
【００２４】
上記記録媒体に対して、パルステック工業製の光ディスク記録再生評価装置ＯＤＵ−１０００を用いて、１倍速（４．９２ｍ／ｓ）から２．４倍速（１１．８１ｍ／ｓ）まで、０．２倍速（約０．９８ｍ／ｓ）置きに、１７ＰＰ変調方式を採用し、マーク及びスペース長が２Ｔ〜８Ｔのランダム記録で、最短マーク長２Ｔが０．１４９μｍとなるように、各線速でチャネルクロックを設定して記録を行った。パルス波形に関するパラメータ及び記録パワーは上述した式により算出して設定した。
その結果、各線速での繰り返し記録１０回後のジッタ（リミットエコライザ仕様）は全て６．０％以下で、ブルーレイディスク規格の７．０％を下回っており、１倍速と２倍速で共通する形式の記録ストラテジの設定値があれば、パラメータの設定も容易に行うことができ、１〜２．４倍速で良好なＣＡＶ記録が可能であることが確認できた。
【００２５】
表７に、２倍速と４倍速で使用する２Ｔ周期ストラテジのパルス波形に関する情報を示した。各パラメータに係るパルス波形は図６に示すとおりであり、負の値は、クロック周期に同期する基準線より右側であることを示す。この場合は、４倍速のみ、各マークの前のスペース長が２Ｔの場合と３Ｔ以上の場合に分けて個別に設定した。
この２Ｔ周期ストラテジにより、パルステック工業製の光ディスク記録再生評価装置ＯＤＵ−１０００を用いて、１．６〜４倍速、あるいは、２〜４．８倍速のＣＡＶ記録について、１．６倍速（７．８７ｍ／ｓ）から４．８倍速（２３．６２ｍ／ｓ）まで０．２倍速（約０．９８ｍ／ｓ）置きに記録を行った。各線速におけるパラメータは、１Ｔ周期ストラテジの場合と同様に、２倍速と４倍速のパラメータの線形補完で算出した。
最適パワーは、２倍速の場合、Ｐｗ＝４．５ｍＷ、Ｐｅ＝１．８ｍＷ、Ｐｂ＝０．１ｍＷ、４倍速の場合、Ｐｗ＝５．８ｍＷ、Ｐｅ＝２．１ｍＷ、Ｐｂ＝０．１ｍＷであったので、これらの値から線形補完により算出した。
その結果、各線速での繰り返し記録１０回後のジッタ（リミットエコライザ仕様）は全て７．０％以下で、ブルーレイディスク規格の７．０％を満足し、２倍速と４倍速で共通する形式の記録ストラテジの設定値があれば、パラメータの設定も容易に行うことができ、１．６〜４倍速、乃至は、２〜４．８倍速で良好なＣＡＶ記録が可能であることが確認できた。
記録媒体へのプリフォーマットは表５〜表７に記載されている情報を、規格で定められている所定の書式に従い、所定の半径位置にウォブルエンコードにより行う。通常の規格に則ったドライブはプリフォーマットされた情報をデコードできるから、異なる線速間で共通の形式の記録ストラテジがプリフォーマットされていれば、中間の線速等では線形補完等によるパラメータを算出することにより、良好なＣＡＶ記録が可能である。
【００２６】
【表５】
2008146759.tif 000007
【表６】
2008146759.tif 000008
【表７】
2008146759.tif 000009
【図面の簡単な説明】
【００２７】
【図１】１Ｔ周期ストラテジの例を示す図。
【図２】２Ｔ周期ストラテジの例を示す図。
【図３】キャッスルストラテジの例を示す図。
【図４】光情報記録装置の構成例を示す図。
【図５】表６に示した１Ｔ周期ストラテジに係るパルス波形を示す図。
【図６】表７に示した２Ｔ周期ストラテジに係るパルス波形を示す図。
【符号の説明】
【００２８】
Ｔ  基本クロック周期
Ｐ１  バイアスパワー
Ｐ２  消去パワー
Ｐ３  記録パワー
Ｐ４  パルス先頭部と後端部の上乗せされた記録パワー
ＮＲＺＩ  Ｎｏｎ  Ｒｅｔｅｒｎ  ｔｏ  Ｚｅｒｏ  Ｉｎｖｅｒｔ（変調符号をディスクに記録するとき、変調符号のビット“１”が現れるごとに極性を反転して得られた信号長）
１  光情報記録媒体
Ｐｗ  記録パワー
Ｐｅ  消去パワー
Ｐｂ  バイアスパワー
Ｔｔｏｐ  第１パルスの長さ
ｄＴｔｏｐ  第１パルスの立上がり時間のシフト量
Ｔｍｐ  マルチパルスの長さ
Ｔｌｐ  最終パルスの長さ
ｄＴｅ  消去パルスの立上がり時間のシフト量
【図１】
2008146759.tif 000010
【図２】
2008146759.tif 000011
【図３】
2008146759.tif 000012
【図４】
2008146759.tif 000013
【図５】
2008146759.tif 000014
【図６】
2008146759.tif 000015